(57)【要約】      （修正有）【課題】印鑑を個別に使い勝手よく安定的に立て置きできる印鑑立ておよび箱体付き印鑑立てを提供する。【解決手段】印鑑立て１１は、印鑑７１を挿入する複数の導入孔１４を有し、かつ、前傾緩斜角度が付与されて配置される上板部１３と、上板部の後端側から垂設された後板部２３と、上板部の前端側から垂設された前板部３３とを少なくとも備える印鑑立て本体１２と、印鑑立て本体の空間域１２ａ内に上板部と平行に配置される受け板体５２とで少なくとも構成され、受け板体は、印鑑立て本体における後板部の内側面２４側の一側掛止手段２５と、前板部の内側面３４側の他側掛止手段３５とを介して印鑑立て本体に対し挿脱自在に配設される。印鑑立てと印鑑立ての取り出しを自在にがたつきなく収納する箱体とを組み合わせた箱体付き印鑑立てとすることもできる。【選択図】図２
0003221993.tif 000002
【実用新案登録請求の範囲】
【請求項１】
複数本の印鑑の各別挿入が自在な複数の導入孔を有し、かつ、水平面に対し前傾緩斜角度が付与されて配置される上板部と、該上板部の後端側から垂設された後板部と、前記天板部の前端側から垂設された前板部とを少なくとも備える印鑑立て本体と、該印鑑立て本体の空間域内にて前記上板部と平行に配置される受け板体とで少なくとも構成され、
該受け板体は、前記印鑑立て本体における前記後板部の内側面側の一側掛止手段と、前記前板部の内側面側の他側掛止手段とを介して前記印鑑立て本体に対し左右方向からの挿脱を自在に配設したことを特徴とする印鑑立て。
【請求項２】
前記導入孔は、内径を異にするものを混在させた請求項１に記載の印鑑立て。
【請求項３】
前記印鑑立て本体は、前記後板部側から前記前板部側へと水平に配置された底板部を有する請求項１または２に記載の印鑑立て。 
【請求項４】
請求項１ないし３のいずれかに記載の印鑑立てに、該印鑑立ての取り出しを自在にがたつきなく収納する箱体を組み合わせたことを特徴とする箱体付き印鑑立て。
【考案の詳細な説明】
【技術分野】
【０００１】
本考案は、不動産取引やその他の商取引において当事者が契約書を含む各種書面に捺印する際に使用するそれぞれの印鑑を個別に使い勝手よく安定的に立て置きしておくことができる印鑑立ておよび箱体付き印鑑立てに関する技術である。
【背景技術】
【０００２】
不動産取引やその他の重要な商取引の場においては、当事者間の合意の証として契約書を含む何らかの書面を残すのが一般的である。しかも、契約締結時には、各当事者が保有する自己の印鑑を契約書を含む各種の書面の所定位置に各別に捺印する必要があるため、当事者の人数によっては契約時等の捺印の場に２本以上の複数本の印鑑が用意されることもある。
【０００３】
この場合、通常は、当事者である銘々が用意したそれぞれの印鑑は、立会人や仲介人の手元に集め置かれ、合意に達した時点で契約書等の書面の必要箇所に個別に捺印することで、合意が成立することになる。
【０００４】
したがって、このように複数本の印鑑が用いられる場合には、その数が増えるにしたがいどの印鑑が誰のものであるのかが分かりづらくなるため、その確認に手間取ってそれだけ捺印作業も繁雑になってしまう不具合があった。
【０００５】
一方、契約締結時に複数本の印鑑を要領よく配置して使用する際の捺印作業を迅速化する上で好適であると思われる従来技術としては、例えば特許文献１に示す「印鑑が入る穴の開いた朱肉」や特許文献２に示す「朱肉内蔵した印鑑立て具」が既に提案されている。
【先行技術文献】
【特許文献】
【０００６】
【特許文献１】実開平５−７２４５５号公報
【特許文献２】実開昭６２−１２３９６７号公報
【０００７】
すなわち、特許文献１には、朱肉の上蓋の天板面に印鑑の太さに応じた複数の穴がそれぞれ穴蓋付きの状態で設けられており、穴から穴蓋をまず取り去った上で、今回使用する印鑑を当該穴に差し込んで朱肉面に印鑑の印面を押し当ててこれに朱肉を付着させて契約書等の書面の必要箇所に捺印することで使用することができる「印鑑が入る穴の開いた朱肉」が開示されている。
【０００８】
また、特許文献２には、朱肉容器と、複数の印鑑孔を備えて朱肉容器に嵌着される中蓋と、該中蓋を含む容器を覆う上蓋とを備え、それぞれの印鑑孔に対応する印鑑を各別に差し込んでその印面を朱肉面に軽接触させた状態のもとで上蓋で覆っておき、使用時に上蓋を外して必要な印鑑を取り出して契約書等の書面の必要箇所に捺印することで使用することができる「朱肉内蔵した印鑑立て具」が開示されている。
【考案の概要】
【考案が解決しようとする課題】
【０００９】
しかし、特許文献１の「印鑑が入る穴の開いた朱肉」による場合、印鑑不使用時の穴は、ゴミの侵入を防ぐために穴蓋で塞いでおかなければならない煩雑さがあるばかりでなく、複数個の穴蓋を別途用意しなければならず、それだけ全体コストを押し上げたり、印鑑使用時に穴から外した穴蓋が紛失しないように特別の配慮を要するなどの不都合があった。
【００１０】
また、特許文献２の「朱肉内蔵した印鑑立て具」による場合、不使用時における各印鑑は、上蓋で覆われた容器内の朱肉上に常に立て置きされて収容される結果、全体の縦サイズがそれだけ座高の高いものとなって仕舞い勝手が悪くなるほか、部材コストもそれだけ高くなってしまう不具合もあった。
【００１１】
本考案は、従来技術にみられた上記課題に鑑みてなされたものであり、契約書等の書面に捺印する際に使用する複数本の印鑑を個別に使い勝手よく安定的に立て置きしておくことができる軽量・簡素な構造の印鑑立てを提供することをその目的とする。
【課題を解決するための手段】
【００１２】
本考案は、上記目的を達成すべくなされたものであり、そのうちの第１の考案（印鑑立て）は、複数本の印鑑の各別挿入が自在な複数の導入孔を有し、かつ、水平面に対し前傾緩斜角度が付与されて配置される上板部と、該上板部の後端側から垂設された後板部と、前記上板部の前端側から垂設された前板部とを少なくとも備える印鑑立て本体と、該印鑑立て本体の空間域内にて前記上板部と平行に配置される受け板体とで少なくとも構成され、該受け板体は、前記印鑑立て本体における前記後板部の内側面側の一側掛止手段と、前記前板部の内側面側の他側掛止手段とを介して前記印鑑立て本体に対し左右方向からの挿脱を自在に配設したことを最も主要な特徴とする。
【００１３】
この場合、前記導入孔は、内径を異にするものを混在させておくのが望ましい。また、前記印鑑立て本体は、前記後板部側から前記前板部側へと水平に配置された底板部を具備させてもよい。
【００１４】
また、第２の考案（箱体付き印鑑立て）は、上記印鑑立てに、該印鑑立ての取り出しを自在にがたつきなく収納する箱体を組み合わせたことを最も主要な特徴とする。
【考案の効果】
【００１５】
請求項１に係る考案（第１の考案）によれば、複数本の印鑑は、上板部に穿設された複数の各導入孔から個別に挿入させた上で、それぞれの印面を受け板体に当接支持させることで個別に立て置き状に安定的に保持させておくことができるので、転動させて机上に朱肉を付着させたりすることなく必要な印鑑を誤りなく簡単に取り出して使い勝手よく使用することができる。
【００１６】
また、上板部と受け板体とは、前下がり状の前傾緩斜角度が付与されて相互に平行配置されているので、必要な印鑑の取り出しと元の位置への戻しとをより円滑に行うことができる。
【００１７】
しかも、受け板体は、印鑑立て本体側から簡単に引き出して付着朱肉痕を清拭した上で簡単に印鑑立て本体側に差し込んで配置することができる。さらに、その全体は、部材点数を極力少なくして構成されているので、軽量・簡素な構造のもとで安価に提供することができる。
【００１８】
請求項２に係る考案によれば、上板部が備える複数の導入孔のそれぞれは、印鑑の個別太さとの関係で定まる適宜の異なる内径が付与されて配設されているので、その太さに応じた最適な内径の導入孔を選択してより安定的に印鑑を挿入保持させておくことができる。
【００１９】
請求項３に係る考案によれば、印鑑立て本体は、底板部をも備えて形成されているので、全体強度の向上により有効に寄与させることができる。
【００２０】
請求項４に係る考案（第２の考案）によれば、第１の考案に係る印鑑立てに、該印鑑立ての取り出しを自在にがたつきなく収納する箱体を組み合わせることで構成されているので、販売時や不使用時に箱体内に印鑑立てをがたつきなく安定的に収納しておくことができるだけでなく、使用時に箱体の蓋板を開けることで直ちに上板部を露呈させて印鑑を挿入保持させることもでき、さらには、印鑑立て本体自体が例えばプラスチック材よりは強度的にやや弱い厚紙を用いて形成されている場合であってもその強度を補強することができる。
【図面の簡単な説明】
【００２１】
【図１】第１の考案の一例を示す全体斜視図。
【図２】図１におけるＡ−Ａ線矢視方向での縦断面図。
【図３】第２の考案の一例を図２との対応関係のもとで示す縦断面図。
【考案を実施するための形態】
【００２２】
図１は、本考案における第１の考案の一例についての全体斜視図を、図２は、図１におけるＡ−Ａ線矢視方向での縦断面図をそれぞれ示す。これらの図によれば、厚紙やプラスチック材を含む適宜の素材を用いてその全体が形成される印鑑立て１１は、複数本の印鑑７１の各別挿入が自在な複数の導入孔１４を有し、かつ、水平面に対し前傾緩斜角度が付与されて配置される上板部１３と、該上板部１３の後端１３ａ側から垂設された後板部１３と、上板部１３の前端１３ｂ側から垂設された前板部２３と、後板部１３側から前板部２３側へと水平に配置された底板部４３とを備える印鑑立て本体１２と、該印鑑立て本体１２の空間域１２ａ内にて上板部１３と平行に配置される受け板体５２とで構成されている。
【００２３】
しかも、受け板体５２は、印鑑立て本体１２における後板部２３の内側面２４側の一側掛止手段２５と、前板部３３の内側面３４側の他側掛止手段３５とを介して印鑑立て本体１２に対し左右方向からの挿脱を自在に配設されている。
【００２４】
これらのうち、印鑑立て本体１２は、上板部１３と後板部２３と前板部３３と底板部４３とで形成されており、机上等の板面上への底板部４３を介しての載置を自在に形成されている。
【００２５】
また、印鑑立て本体１２における上板部１３は、その後端１３ａから前端１３ｂへと至る面が水平面との間に２０°〜３５°の範囲、好ましくは２５°となる前傾緩斜角度が付与されて後板部２３と前板部３３との間に架け渡されている。
【００２６】
この場合、受け板体５２を上板部１３と平行に支持するために配設される一側掛止手段２５と他側掛止手段２５とのうち、一側掛止手段２５は、後板部２３の内側面２４に一側桟材２６を付設することで、他側掛止手段２５は、前板部３３の内側面３４に他側桟材３６を付設することで、それぞれが形成されている。なお、一側桟材２６は、後板部２３の横幅の全長にわたり、他側桟材３６は、前板部３３の横幅の全長にわたり、それぞれ各１本付設したり、短寸化して複数箇所に付設したりすることができる。
【００２７】
しかも、印鑑立て本体１２における上板部１３には、既に述べたように複数本の印鑑７１の各別挿入が可能な複数の導入孔１４が穿設されており、これら各導入孔１４から各別に挿入された印鑑７１は、それぞれの印面７１ａを介して受け板体５２の上面５３上への当接支持が自在となっている。
【００２８】
図３は、本考案における第２の考案の一例を示す全体斜視図であり、その全体は、厚紙やプラスチック材を含む適宜の素材を用いて形成される印鑑立て１１と、該印鑑立て１１を取り出し自在にがたつきなく収納する紙製の箱体６１とで構成されている。
【００２９】
この場合における印鑑立て１１の全体は、複数本の印鑑７１の各別挿入が自在な複数の導入孔１４を有し、かつ、第１の考案と同様な前傾緩斜角度が付与されて配置される上板部１３と、該上板部１３の後端１３ａ側から垂設された後板部１３と、上板部１３の前端１３ｂ側から垂設された前板部２３とを備える印鑑立て本体１２と、該印鑑立て本体１２の空間域１２ａ内にて上板部１３と平行に配置される受け板体５２とで構成されている。
【００３０】
しかも、受け板体５２を上板部１３と平行に支持するために配設される一側掛止手段２５と他側掛止手段２５とのうち、一側掛止手段２５は、後板部２３の内側面２４に一側桟材２６を付設することで、他側掛止手段２５は、前板部３３の内側面３４側の下縁部３４ａを利用することで、それぞれが形成されている。
【００３１】
また、印鑑立て１１をがたつきなく収納する箱体６１は、印鑑立て１１のサイズとの関係で定まる適宜容積の直方体形状を呈し、かつ、その天板側に開閉自在な蓋部６２を備えた公知の展開形状（図示省略）が付与されて形成されている。この場合、箱体６１の外周面６１ａは、所望に応じた適宜色彩の模様や所定の商標など、必要なデザイン的表示面やキャラクター表示面や機能表示面として活用することができる。
【００３２】
次に、上記構成からなる本考案のうち、第１の考案の作用・効果を図１に示す例に基づいて説明すれば、不使用時における印鑑立て１１は、図１に示すように上板部１３に好適な前傾緩斜角度を付与しながら机上等の板面上に底板部４３を介して安定的に載置しておくことができる。
【００３３】
一方、使用時には、図２に示すように各印鑑７１を上板部１３の各導入孔１４を介して各別にそれぞれの印面７１ａ側から送り込み、受け板体５２の上面５３に印面７１ａ側を当接させた状態のもとで各別に安定的に立て置くことができる。
【００３４】
しかも、このとき、上板部１３と該上板部１３と平行に配置される受け板体５２とは、前下がり状の前傾緩斜角度が付与されて相互に平行配置されることになるので、必要な印鑑７１の取り出しと元の位置への戻しとをより円滑に行うことができる。
【００３５】
また、受け板体５２は、印鑑立て本体１２の左右いずれかの開口面１５を介して一側掛止手段２５である一側桟材２６側にその後縁部５４を、他側掛止手段３５である他側桟材３６にその前縁部５５を、それぞれ載置させながら単に左右方向から差し込むことで印鑑立て本体１２側に組み付けることで印鑑立て１１として簡単に組み立てることができる。
【００３６】
また、受け板体５２は、印鑑立て本体１２側から引き出して付着朱肉痕を清拭した後に簡単に印鑑立て本体１２側に差し込んで配置することができる。さらに、印鑑立て１１の全体は、部材点数を極力少なくして構成されているので、軽量・簡素な構造のもとで安価に提供することができる。
【００３７】
また、上板部１３が備える複数の導入孔１４のそれぞれが印鑑７１の個別太さとの関係で定まる適宜の異なる内径が付与されて配設されている場合には、印鑑７１の太さに応じた最適な内径の導入孔１４を選択してより安定的に挿入保持させておくことができる。
【００３８】
次いで、本考案における第２の考案の作用・効果を図３に示す例に基づいて説明すれば、不使用時における印鑑立て１１は、後板部２３と前板部２３とのそれぞれの下端面を介して図３に示すように箱体６１内にがたつきなく安定的に収納しておくことができる。しかも、印鑑立て本体１２自体が例えばプラスチック材よりは強度的に脆弱な厚紙を用いて形成されている場合であっても箱体６１を介することでその強度を補強してやることができる。
【００３９】
使用に際しては、箱体６１の蓋部６２を開蓋することで直ちに印鑑立て１１における上板部１３を露呈させることができるるので、上板部１３が備える各導入孔１４を介して印鑑７１を挿入し、受け板部５２の上面５３にそれぞれの印面７１ａを当接支持せることで準備を整えることができる。
【００４０】
また、印鑑立て１１を箱体６１内から取り出して使用することを希望する場合は、取り出した印鑑立て１１における後板部２３と前板部３３とのそれぞれの下端面を介することで、上板部１３に好適な前傾緩斜角度を付与しながら机上等の板面上に安定的に載置しておくことができる。
【００４１】
しかも、この場合における受け板体５２は、その後縁部５４を後板部２３が一側掛止手段２５として備える一側桟材２６に載置させ、前縁部５５を前板部３３の内側面３４の下縁部３４ａと板面との間に支持させることで容易に配置することができる。
【００４２】
また、受け板部５２に付着した朱肉痕を清拭する際には、箱体６１内から印鑑立て１１を取り出した上で、印鑑立て本体１２側から受け板部５２を取り外すころで直ちに行うことができる。
【００４３】
しかも、図３に示す印鑑立て本体１２は、図１および図２に示す印鑑立て本体１２とは異なり、底板４３を備えていないほか、他側掛止手段３５として他側桟材３６を付設する必要がないことから、部材点数をさらに少なくしてより安価に提供することができる。
【００４４】
以上は、本考案を図示例に基づいて説明したものであり、その具体的な内容はこれ限定されるものではない。例えば、印鑑立て本体１２が備える一側掛止手段２５と他側掛止手段３５とは、図１に示す一側桟材２６と他側桟材３６とに代えて一側掛止溝（図示せず）と他側掛止溝（図示せず）とを刻入し、一側掛止溝には受け板体５２の後縁部５４を、他側掛止溝には前縁部５５をそれぞれ掛止させることで印鑑立て本体１２に対し受け板体５２を挿脱自在に配設できるようにしてもよい。また、第１の考案として図１に示す印鑑立て本体１２は、第２の考案を構成する図３に示す印鑑立て本体１２と同様に他側掛止手段３５である他側桟材３５と底板部４３とを設けずに形成することもできる。さらに、第２の考案を構成する図３に示す印鑑立て本体１２は、第１の考案として図１に示す印鑑立て本体１２と同様に他側掛止手段３５である他側桟材３６と底板部４３とを有するものであってもよい。また、図１に示す印鑑立て１２と図３に示す印鑑立て１１とは、いずれも厚紙のみを用いた組み立て構造とすることもできる。
【符号の説明】
【００４５】
１１  印鑑立て
１２  印鑑立て本体
１２ａ  空間域
１３  上板部
１３ａ  後端
１３ｂ  前端
１４  導入孔
１５  開口面
２３  後板部
２４  内側面
２５  一側掛止手段
２６  一側桟材
３３  前板部
３４  内側面
３４ａ  下縁部
３５  他側掛止手段
３６  他側桟材
４３  底板部
５２  受け板体
５３  上面
５４  後縁部
５５  前縁部
６１  箱体
６１ａ  外周面
６２  蓋部
７１  印鑑
７１ａ  印面
【図１】
0003221993.tif 000003
【図２】
0003221993.tif 000004
【図３】
0003221993.tif 000005
【手続補正書】
【提出日】平成31年4月26日(2019.4.26)
【手続補正１】
【補正対象書類名】実用新案登録請求の範囲
【補正対象項目名】全文
【補正方法】変更
【補正の内容】
【実用新案登録請求の範囲】
【請求項１】
複数本の印鑑の各別挿入が自在な複数の導入孔を有し、かつ、水平面に対し前傾緩斜角度が付与されて配置される上板部と、該上板部の後端側から垂設された後板部と、前記上板部の前端側から垂設された前板部とを少なくとも備える印鑑立て本体と、該印鑑立て本体の空間域内にて前記上板部と平行に配置される受け板体とで少なくとも構成され、
該受け板体は、前記印鑑立て本体における前記後板部の内側面側の一側掛止手段と、前記前板部の内側面側の他側掛止手段とを介して前記印鑑立て本体に対し左右方向からの挿脱を自在に配設したことを特徴とする印鑑立て。
【請求項２】
前記導入孔は、内径を異にするものを混在させた請求項１に記載の印鑑立て。
【請求項３】
前記印鑑立て本体は、前記後板部側から前記前板部側へと水平に配置された底板部を有する請求項１または２に記載の印鑑立て。 
【請求項４】
請求項１ないし３のいずれかに記載の印鑑立てに、該印鑑立ての取り出しを自在にがたつきなく収納する箱体を組み合わせたことを特徴とする箱体付き印鑑立て。